(57)【要約】【課題】ＩＣタグ保護材料をＩＣタグが埋め込まれた真珠核に塗布することで、ＩＣタグに海水が接触しＩＣタグが破壊されることを防止すること。【解決手段】  真珠核２を真珠貝の体内に挿入し海中で養殖を行う養殖真珠１において、真珠核２にＩＣタグ３を埋め込むこと、真珠核２の外周にＩＣタグ保護材料５を塗布することにより、真珠核２に真珠層４が形成されるまでの１年から３年までの間、ＩＣタグ３を海水または淡水から守ることができる。また、真珠核２内にＩＣタグ３を埋め込み、その後真珠核２の外周に真珠層４ができることから、養殖真珠１の完成後ＩＣタグ３を成型する必要がない。【選択図】図１
2012120465.tif 000002
【特許請求の範囲】
【請求項１】
真珠核を真珠貝の体内に挿入し海中で養殖を行う養殖真珠において、
前記真珠核にＩＣタグを埋め込むこと、
前記真珠核の外周、又は、ＩＣタグの外周にＩＣタグ保護材料が形成されること、
を特徴とする養殖真珠。
【請求項２】
請求項１に記載する養殖真珠において、
前記ＩＣタグ保護材料は、柿渋、漆、黄檗、又は琥珀であること、
を特徴とする養殖真珠。
【請求項３】
請求項１又は請求項２に記載する養殖真珠において、
前記真珠核は、琥珀を熱溶融した穴にＩＣタグを埋め込んで封入した琥珀を使用すること、
を特徴とする養殖真珠。
【請求項４】
請求項１乃至請求項３に記載するいずれか一つの養殖真珠において、
前記真珠核内にＤＮＡを乾燥させて粉末化したＤＮＡ粉末を挿入すること、
を特徴とする養殖真珠。
【発明の詳細な説明】
【技術分野】
【０００１】
本発明は、真珠核を真珠貝の体内に挿入し海中で養殖を行う養殖真珠に関する。
【背景技術】
【０００２】
従来から、宝石は高級品として人々に親しまれてきた。宝石は高級品であること、及び美観性、神秘性から、思い出の品として利用がされている。
例えば、宝石は思い出の品となるため、従来から宝石と思い出との結びつきを強くするため、宝石に加工が施されてきた。宝石である琥珀に思い出の品である遺骨を収納した装身具が提案されている。この装身具は、琥珀に円筒孔を形成し円筒孔の内壁に金箔を貼着し、円筒孔に思い出の品である遺骨を入れてシリコーン樹脂を注入して硬化させることにより、遺骨を琥珀に収納している（例えば特許文献１参照）。
【０００３】
一方、宝石の中でも人工的に宝石を製造することができるものとして養殖真珠がある。
天然真珠は、真珠貝の体内に偶然入り込んだ何らかの異物に対して、真珠貝が自己防衛反応を起こし、外とう膜という貝の組織が、その異物を真珠質で包み込む。真珠質で包み込むことにより外周に真珠層を形成し天然真珠が完成する。それに対して、養殖真珠は、貝殻を丸く磨いた真珠核を真珠貝の体内に挿入することで、人工的に真珠貝に真珠層を形成させることができるものである。
養殖真珠の製造方法は、下記の特許文献２乃至特許文献５に記載されているが、広く行われているものである。
【先行技術文献】
【特許文献】
【０００４】
【特許文献１】特開２００５−６７０５号公報
【特許文献２】特開平０５−１２４８１４号公報
【特許文献３】特開平０５−１２３０７５号公報
【特許文献４】特開２００２−０６５１００号公報
【特許文献５】特開２００２−０２７８６２号公報
【発明の概要】
【発明が解決しようとする課題】
【０００５】
しかしながら、従来の宝石には以下の２つの問題があった。
すなわち、第１の問題として、特許文献１に係る装飾具に用いる琥珀を含む宝石は、思い出の品を宝石に取り付ける場合には宝石に孔を開け、思い出の品を挿入した後に孔を閉じる必要がある。
しかし、琥珀を含む宝石は、色合いや内包物などが一つ一つ異なる。そのため、琥珀を含む宝石の孔を閉じた場合、孔の部分の色合いが異なるため琥珀を含む宝石の意匠性を害することになる。したがって、宝石に対して思い出の品を後付けで行う場合には、意匠性を害する結果宝石そのものの価値が下がる問題がある。
【０００６】
第２の問題として、例えば、養殖真珠の真珠核に思い出の品を埋め込むことで、思い出の品を含んだ養殖真珠を形成することができる。しかし、養殖真珠に挿入する真珠核は、１年〜３年海水にさらされることになる。そのため、真珠核に埋め込む思い出の品が海水に弱いものであると内部に埋め込んだ思い出の品が劣化する。特に、昨今では思い出の品として、写真やメッセージを記録したＩＣタグを入れることが考えられるが、ＩＣタグは機械製品であるため特に海水に弱いため問題となる。
【０００７】
本発明は、上記問題点を解決するためになされたものであり、ＩＣタグ保護材料をＩＣタグが埋め込まれた真珠核に塗布することで、ＩＣタグに海水が接触しＩＣタグが破壊されることを防止することを目的とする。
【課題を解決するための手段】
【０００８】
上記課題を解決するために、本発明の一態様における養殖真珠は、以下の構成を有する。
（１）真珠核を真珠貝の体内に挿入し海中で養殖を行う養殖真珠において、前記真珠核にＩＣタグを埋め込むこと、前記真珠核の外周、又は、ＩＣタグの外周にＩＣタグ保護材料が形成されること、が好ましい。
【０００９】
（２）（１）に記載する養殖真珠において、前記ＩＣタグ保護材料は、柿渋、漆、黄檗、又は琥珀であること、が好ましい。
【００１０】
（３）（１）又は（２）に記載する養殖真珠において、前記真珠核は、琥珀を熱溶融した穴にＩＣタグを埋め込んで封入した琥珀を使用すること、が好ましい。
【００１１】
（４）（３）に記載する養殖真珠において、真珠核内にＤＮＡを乾燥させて粉末化したＤＮＡ粉末を挿入すること、が好ましい。
【発明の効果】
【００１２】
上記養殖真珠の作用及び効果について説明する。
（１）真珠核を真珠貝の体内に挿入し海中で養殖を行う養殖真珠において、前記真珠核にＩＣタグを埋め込むこと、前記真珠核の外周、又は、ＩＣタグの外周にＩＣタグ保護材料が形成されることにより、ＩＣタグが海水に接触するのを防止することができる。ＩＣタグ保護材料が形成された真珠核は海水と接触しないため、真珠核の内部に埋め込まれたＩＣタグも海水と接触することがない。また、ＩＣタグ保護材料が形成されたＩＣタグは海水と接触しない。そのため、ＩＣタグが１年〜３年海水につかっていたとしても、ＩＣタグを海水から守りつつ、養殖真珠を成型することができる。
また、真珠核にＩＣタグを埋め込むことにより、非接触式のＩＣタグのデータ読取装置にＩＣタグ入の養殖真珠をかざせば、ＩＣタグに記憶された思い出の写真や画像、情報等を読み取って確認することができる。
また、真珠核内にＩＣタグが埋め込まれていることにより、成型された養殖真珠の外観上には何ら傷がなく真珠としての価値を損なうことがない。ＩＣタグを養殖真珠の成型後に後付けすることも考えられるが、ＩＣタグを後付けすると養殖真珠の外観にはＩＣタグ挿入孔が形成され、真珠としての価値を損なうことになる。したがって、養殖真珠を成型する前の真珠核内にＩＣタグが埋め込まれていることにより、外観を傷つけることなくＩＣタグを養殖真珠の中に入れることができる。
また、ＩＣタグは養殖真珠の中心からずれた部分に成型することにより、養殖真珠の加工がし易くなっている。
【００１３】
（２）ＩＣタグ保護材料は、柿渋、漆、黄檗、又は琥珀であることにより、ＩＣタグを埋め込んだ真珠核を海水から守ることができる。すなわち、柿渋、漆、黄檗、又は琥珀には、塩類及び水分に対して強いという性質を有する。そのため、柿渋、漆、黄檗、又は琥珀をＩＣタグ保護材料として使用することにより、海水からＩＣタグを守ることができる。
具体的には、古来の発掘される漆器は大部分が泥水の中に二千年も浸かっているが、発掘される漆器は腐らずに現存している。そのため、漆、又は漆と同じ効果を持つ柿渋、黄檗をＩＣタグ保護材料として使用することにより、それを塗布した内部の真珠核及びその内部のＩＣタグを海水から守ることができる。
柿渋とは、渋柿の青い果実からしぼりとった液のことである。
漆とは、ウルシの樹皮に傷をつけて採取した樹液（生漆(きうるし)）に、油・着色剤などを加えて製した塗料のことである。
黄檗とは、キハダ（樹木）の別名であり、キハダの樹皮から作った染料のことである。
琥珀とは、広葉樹や針葉樹などの樹脂により形成されるものである。琥珀にはコパール、アンブロイド、ロジン等を含む。
柿渋、漆、黄檗、琥珀は古来から使用されているが、その効用についての研究及び使用はいまだにほとんどされていない状態にある。にもかかわらず本特許でその成分を理解し使用するにいたったのは、本出願人が樹木に関する深い知識を有する者だからである。
【００１４】
（３）真珠核は、琥珀を熱溶融した穴にＩＣタグを埋め込んで封入した琥珀を使用することにより、ＩＣタグを埋め込んだ真珠核を海水から守ることができる。すなわち、琥珀には、塩類及び水分に対して強いという性質を有する。そのため、琥珀をＩＣタグ保護材料として使用することにより、海水からＩＣタグを守ることができる。また、琥珀は熱溶融することにより成型が容易であるため、ＩＣタグを容易に封入することができる。
【００１５】
（４）真珠核内にＤＮＡを乾燥させて粉末化したＤＮＡ粉末を挿入する。ＤＮＡ粉末は、乾燥されて水分含有量がすくないため、琥珀に挿入された後に腐敗しにくい。腐敗を防止されたＤＮＡ粉末又は個人情報を記憶するＩＣタグを有するので、何年経っても養殖真珠を個人に正確に結びつけることができるため、養殖真珠を大切に扱う。
【図面の簡単な説明】
【００１６】
【図１】本発明の実施形態に係る図３に示す養殖真珠のＧＧ概念断面図である。
【図２】本発明の実施形態に係る図１に示す養殖真珠のＨＨ概念断面図である。
【図３】本発明の本実施形態に係る養殖真珠の製造工程の概念図である。
【発明を実施するための形態】
【００１７】
以下に、本発明の一実施形態について、図面を参照しながら説明する。
＜養殖真珠の構成＞
図３に養殖真珠１の製造工程の概念図を示す。図１に、図３に示す養殖真珠１のＧＧ概念断面図を示す。図２に、図１に示す養殖真珠１のＨＨ概念断面図を示す。
図１に示すように、養殖真珠１は、真珠核２の周りに真珠層４が形成されたものである。真珠核２の中心部にはＩＣタグ３が埋め込まれている。図２に示すように、ＩＣタグ３養殖真珠１のＧＧ断面（中心線Ｘからずれた断面）においては、養殖真珠１の中心線Ｘからずれた部分に埋め込まれている。
真珠核２は、淡水貝を球状に加工したもので、真珠の素になるものである。真珠核２は、淡水貝を、サイコロ形状とし、その後研磨機で角をとり球状とすることにより完成される。本実施形態における真珠核２の径は１０ｍｍである。
真珠層４は、貝殻成分を分泌する外套膜である。外套膜は細胞分裂して袋状になり、真珠を生成する真珠袋を生成する。真珠袋を生成する中でカルシウムの結晶と有機質層が交互に積層した結果真珠層が形成されたものである。本実施形態における真珠層４の厚みは１ｍｍである。
【００１８】
＜ＩＣタグの構成＞
ＩＣタグ３は、電波を受けて働く小型の電子装置である。図１に示すように、ＩＣタグ３は、内部にＩＣチップ３１を内包した円板形状をしている。図２に示すように、ＩＣタグ３は円板形状であるため、厚みは少ない。本実施形態においてＩＣタグ３の径は５ｍｍであり、厚さは１ｍｍである。
ＩＣタグ３は、外観は樹脂成型された被覆部３２が形成され、被覆部３２の中心部にＩＣチップ３１が埋め込まれている。ＩＣチップ３１の周りには被覆部３２により固定されたアンテナ３３が形成されている。
ＩＣチップ３１は、データの読み取り及び書き換えが可能な集積回路を組み込んだチップである。
【００１９】
ＩＣタグ３の外周には、ＩＣタグ保護材料５が薄膜上に塗布されている。ＩＣタグ３は、海水または淡水に１〜３年ほど浸かった状態で過ごす。そのため、ＩＣタグ保護材料５は、防水の性質を有し、かつ防塩の性質を有するものを使用する。本実施形態においては、ＩＣタグ保護材料５として柿渋、漆、黄檗、又は琥珀を用いる。柿渋、漆、黄檗、又は琥珀は防水の性質及び防塩の性質を有する。
なお、本実施形態においてはＩＣタグ保護材料５として、柿渋、漆、黄檗、又は琥珀を用いることとしたが、防水の性質及び防塩の性質を有するものであれば代替えすることができる。
また、本実施形態においてはＩＣタグ保護材料５をＩＣタグ３の外周に塗布する旨記載したが、ＩＣタグ３を含んだ真珠核２の外周にＩＣタグ保護材料５を塗布することもできる。ＩＣタグ３を含んだ真珠核２の外周にＩＣタグ保護材料５を塗布することにより、真珠核２内のＩＣタグ３を海水から保護することができる。
【００２０】
柿渋とは、渋柿の青い果実からしぼりとった液のことである。
柿渋の製造方法は、以下のとおりである。第１に、渋柿の青い果実を潰して果汁を絞り出し容器に収容する。第２に、渋柿の果汁を発酵させ熟成させる。渋柿の果汁が発酵し熟成すると、表面に薄い膜が張り、渋タンニンが強くでた柿渋が製造される。
本実施形態における柿渋は、一般の品質を有するものを使用している。具体的には、柿渋の性状は、赤褐色液体である。柿渋臭気は、独特の有機酸臭を有する。ＰＨは、３．５〜４．５である。ボーメ比重は、４．５以上である。タンニン含有量は、３．０以上である。
【００２１】
漆とは、ウルシの樹皮に傷をつけて採取した樹液（生漆(きうるし)）に、油・着色剤などを加えて製した塗料のことである。
漆の製造方法は、以下のとおりである。第１に、ウルシ科の漆の木やブラックツリーから漆の原料となる漆の樹液を採取する。漆の樹液は、樹皮やゴミなどが混ざっているため、加熱後に濾過をする。第２に、濾過した樹液に油・着色材などを加えて漆を製造する。
本実施形態における漆は、一般の品質を有するものを使用している。具体的には、漆の成分は、ウルシオール６７．３％、ゴム質５．５％、含窒素物２．１％、水分２５．１％等から構成される。
【００２２】
黄檗とは、キハダ（樹木）の別名であり、キハダの樹皮から作った染料のことである。黄檗は、黄蘗色（きはだいろ）ともよばれる鮮やかな黄色の染料で、黄色に染め上げる以外に赤や緑色の下染めにも利用される。
【００２３】
琥珀とは、広葉樹や針葉樹などの樹脂により形成されるものである。琥珀には、コパール、アンブロイド、ロジン等を含む。
【００２４】
＜養殖真珠の作用効果＞
養殖真珠１の真珠核２内にＩＣタグ３が埋め込まれていることにより、図示しないＩＣタグデータ読取装置に養殖真珠１をかざせば、ＩＣタグ３に記憶された情報を読み取って確認することができる。
上記構成のＩＣタグ３には、思い出の写真、映像やメッセージを記憶させることができる。そのため、例えば、養殖真珠１を用いたジュエリーをプレゼントする際に、あらかじめＩＣタグ３内に写真やメッセージを記憶させておく。それにより、プレゼント後にプレゼントを受け取った受取人は、思い出の写真、映像やメッセージを見ることができるため、プレゼントの他の手紙等としての楽しみが増える。
【００２５】
上記構成のＩＣタグ３は、記憶されたメッセージ等はデジタル形式で記憶されるため経年変化による劣化が少ない。そのため、記念日に送るプレゼントとして贈った場合には、プレゼントした時のメッセージ等の劣化が少ない。メッセージ等の劣化が少ないことにより、記念日が来るたびに思い出の品をＩＣタグデータ読取装置にかざしいつまでも記念日を楽しむことができる。
【００２６】
上記構成によれば、真珠核２内にＩＣタグ３が埋め込まれていることにより、真珠層４がＩＣタグ３を含んだ真珠核２の外周に形成される。真珠核２内にＩＣタグ３が埋め込まれていることにより、養殖された養殖真珠１の外観上にはＩＣタグ３を後付けした場合にできるような孔を形成する必要がないため傷ができない。したがって、真珠としての価値を損なうことがない。すなわち、従来ＩＣタグ３を養殖真珠に埋め込む場合には、養殖真珠の成型後に孔を開けＩＣタグ３を埋め込む必要があった。ＩＣタグ３を養殖真珠の成型後に孔を開けることにより埋め込むと、養殖真珠の外観上には傷ができ、真珠の美観性が損なわれる結果、真珠の価値が損なわれる。本実施形態によれば、ＩＣタグ３は、後付けではなく養殖真珠１を製造する前の真珠核２内に埋め込むため外観上の傷として表れることはない。したがって、養殖真珠１の価値を損なうことがない。
【００２７】
図２に示すように、ＩＣタグ３が養殖真珠１内に埋め込まれていた場合であっても、養殖真珠１の中心部にＩＣタグ３が位置しない。そのため、養殖真珠１を使用して真珠のネックレス等を製造する際に中心部に貫通孔を形成するが、ＩＣタグ３が貫通孔を形成する際の邪魔になることがない。
【００２８】
＜養殖真珠の製造方法＞
図３に、養殖真珠１の製造工程の概念図を示す。
図３（Ａ）に示すように、本実施形態において真珠核２は、淡水貝の貝殻を球状に加工する。具体的には、真珠核２は、始めに淡水貝の貝殻をサイコロ形状とし、その後研磨機で角をとり球状とすることにより完成される。本実施形態においては、球状としたがハート形、星型等とすることもできる。真珠核をハート形、星型とすることにより最終的にできる養殖真珠１の形を決めることができる。
【００２９】
図３（Ｂ）に示すように、真珠核２にＩＣタグ３を挿入するＩＣタグ挿入孔２１を切削により成型する。
図３（Ｃ）に示すように、真珠核２に成型されたＩＣタグ挿入孔２１にＩＣタグ３を挿入し、図３（Ｄ）に示す状態にする。
【００３０】
ＩＣタグ３は、図３（Ｃ）におけるＩＣタグ挿入孔２１に挿入する前に、真珠核２の外周にＩＣタグ保護材料５を塗布する。具体的には、真珠核２に糸用の孔、又は取り付け金具用の孔を空け固定した状態でＩＣタグ保護材料５を塗布する。本実施形態においては、ＩＣタグ保護材料５は、漆を塗布する。漆は塗布をした後に、乾燥を挟みさらに塗布することにより、漆をＩＣタグ３の外周に何層も塗り重ねる。漆の塗り重ねを行うことにより、ＩＣタグ保護材料として海水及び淡水から内部のＩＣチップ３１を守ることができる。漆は、防水の性質及び防塩の性質を有するため、海水及び淡水からＩＣチップを守ることができる。
なお、上記したように、ＩＣタグ３を含んだ真珠核２の外周にＩＣタグ保護材料５を塗布した場合であっても、ＩＣタグ３を海水から保護することができる。
【００３１】
図３（Ｅ）に示すように、ＩＣタグ３をＩＣタグ挿入孔２１に挿入後、真珠核２のＩＣタグ挿入孔２１を接着剤又は柿渋、漆、黄檗、琥珀を接着剤代わりとして使用して閉じる。接着剤等はＩＣタグ挿入孔２１からはみ出るため、研磨等で磨くことにより真珠核２の外周と整える。ＩＣタグ挿入孔２１を接着剤等により閉じることにより、ＩＣタグ３が真珠核２から出ることがない。また、ＩＣタグ挿入孔２１を接着剤等で閉じることにより、真珠核２の球形状を維持することができる。
【００３２】
図３（Ｅ）に示すように、上記ＩＣタグ３を真珠核２に埋め込む工程を経た真珠核２を真珠貝に挿入する。真珠貝に真珠核２を挿入することにより、真珠貝が自己防衛反応を起こし、外とう膜という貝の組織が、１年〜３年の時間を掛けて真珠核２を真珠質で包み込む。真珠核２を真珠質で包み込むことにより外周に真珠層４を形成し、図３（Ｆ）に示す養殖真珠１が完成する。
【００３３】
真珠核２は、真珠貝に挿入された後に、真珠貝とともに１年〜３年海水にさらされた状態となる。ＩＣタグ３にはＩＣタグ保護材料５である漆が塗布してある。そのため、ＩＣタグ３を海水から守ることができる。すなわち、漆には、塩類及び水分に対して強いという性質を有する。そのため、漆をＩＣタグ保護材料５として使用することにより、海水からＩＣタグ３内部のＩＣチップ３１を守ることができる。
本出願人は、ＩＣタグ保護材料５を塗らない状態であるＩＣタグ３を真珠核２に埋め込んで養殖真珠の製造を試してみたところ、１年後にできた養殖真珠内のＩＣタグ３は機能しなかった。すなわち、ＩＣタグ保護材料を用いないことによりＩＣタグは海水により機能が破壊されることが認識できた。
それに対して、ＩＣタグ３にＩＣタグ保護材料５を塗布することにより製造された養殖真珠１のＩＣタグ３は、海水に１年浸かっていても正常に使用することができた。その理由は、漆が古来から使われており塩分や水分に強い性質を有するためであると考える。具体的には、古来の発掘される漆器は大部分が泥水の中に二千年も浸かっているが、発掘される漆器は腐らずに現存している。そのため、漆をＩＣタグ保護材料として使用することにより、それを塗布した内部の真珠核２及びその内部のＩＣタグ３を海水から守ることができる。
【００３４】
また、図３（Ｆ）に示す養殖真珠１が完成した場合、真珠核２内にＩＣタグ３が埋め込まれているため、養殖された養殖真珠１の外観上にはＩＣタグ３を後付けした場合にできるような傷がない。そのため、真珠核２内にＩＣタグ３が埋め込むことにより、成型された養殖真珠１の外観上には何ら傷がなく真珠としての価値を損なうことがない。
また、ＩＣタグ３は養殖真珠１の中心からずれた部分に成型することにより、養殖真珠１の加工がし易くなっている。
また、養殖真珠１を加工する際には、強い光線をあて真珠を透かして既に真珠核２内に空いている加工孔の位置とＩＣタグ３の位置を見極めて加工することができる。
【００３５】
以上詳細に説明したように、本実施形態によれば以下の作用効果を有する。
真珠核２を真珠貝の体内に挿入し海中で養殖を行う養殖真珠１において、真珠核２にＩＣタグ３を埋め込むこと、真珠核２の外周にＩＣタグ保護材料５を塗布することにより、ＩＣタグ３が海水に接触するのを防止することができる。ＩＣタグ保護材料５を塗布された真珠核２の内部のＩＣチップ３１は海水と接触しない。そのため、ＩＣタグ３を海水から守りつつ、養殖真珠１を成型することができる。
また、真珠核２にＩＣタグ３を埋め込むことにより、非接触式のＩＣタグ３のデータ読取装置にＩＣタグ３入の養殖真珠をかざせば、ＩＣタグ３に記憶された情報を読み取って確認することができる。
また、真珠核２内にＩＣタグ３が埋め込まれていることにより、成型された養殖真珠１の外観上には何ら傷がなく真珠としての価値を損なうことがない。ＩＣタグ３を養殖真珠１の成型後に後付けすることも考えられるが、ＩＣタグ３を後付けすると養殖真珠１の外観にはＩＣタグ挿入孔が形成され、真珠としての価値を損なうことになる。したがって、養殖真珠１を成型する前の真珠核２内にＩＣタグ３が埋め込まれていることにより、外観を傷つけることなくＩＣタグ３を養殖真珠１の中に入れることができる。
【００３６】
ＩＣタグ保護材料５は、柿渋、漆、黄檗、又は琥珀であることにより、ＩＣタグ３を埋め込んだ真珠核２を海水から守ることができる。すなわち、柿渋、漆、黄檗、又は琥珀には、塩類及び水分に対して強いという性質を有する。そのため、柿渋、漆、黄檗、又は琥珀をＩＣタグ保護材料５として使用することにより、海水からＩＣタグ３を守ることができる。
具体的には、古来の発掘される漆器は大部分が泥水の中に二千年も浸かっているが、発掘される漆器は腐らずに現存している。そのため、漆、又は漆と同じ効果を持つ柿渋、黄檗をＩＣタグ保護材料５として使用することにより、それを塗布した内部の真珠核２及びその内部のＩＣタグ３を海水から守ることができる。
【００３７】
＜変形例＞
尚、本発明は、上記実施形態に限定されることなく、色々な応用が可能である。
例えば、上記実施形態では、養殖真珠１に対して真珠層４を形成することとしたが、真珠層をもたないコンク真珠やメロ真珠等であっても水中で真珠を養殖するものであれば同様の作用効果を有することができる。
【００３８】
例えば、本実施形態においては、ＩＣタグ３にＩＣタグ保護材料５である漆等を塗布することとしたが、真珠核２にそのまま塗布することもできる。ＩＣタグ保護材料５を真珠核２に塗布することにより、真珠核２内部に埋め込まれたＩＣタグ３を保護することができるためである。また、内部のＩＣタグ３をより確実に保護するため、ＩＣタグ３の外周及びＩＣタグ３を埋め込んだ真珠核２の外周にＩＣタグ保護材料を塗布することもできる。
真珠核２の外周にＩＣタグ保護材料５を直接塗布することにより、真珠核２の色合いをコントロールすることができる。真珠は真珠核の色合いにより真珠の色合いが決定する。そのため、真珠核２に色合いを有するＩＣタグ保護材料５を塗布することにより、養殖真珠１の色合いを決定することができる。
【００３９】
例えば、琥珀を真珠核２とすることができる。すなわち、琥珀を溶融させて作った穴にＩＣタグを埋め込んだ後、固めて封じ込めた琥珀を真珠核２とすることができる。
【００４０】
例えば、本実施形態においてＩＣタグ保護材料５に柿渋、漆、黄檗、琥珀を塗布する旨記載したが、ＩＣタグ保護材料５は、柿渋、漆、黄檗、琥珀を複合的に混ぜて塗布することもできる。
【００４１】
例えば、真珠核内にＤＮＡを乾燥させて粉末化したＤＮＡ粉末を挿入する。ＤＮＡ粉末は、乾燥されて水分含有量がすくないため、琥珀に挿入された後に腐敗しにくい。腐敗を防止されたＤＮＡ粉末又は個人情報を記憶するＩＣタグを有するので、何年経っても養殖真珠を個人に正確に結びつけることができるため、養殖真珠を大切に扱われる。
【符号の説明】
【００４２】
１    養殖真珠
２    真珠核
３    ＩＣタグ
３１  ＩＣチップ
４    真珠層
５    ＩＣタグ保護材料
【図１】
2012120465.tif 000003
【図２】
2012120465.tif 000004
【図３】
2012120465.tif 000005